(57)【要約】【課題】ゴルフ用グリーンマーカーを保持した状態でも広告宣伝することができるマーカーホルダーを提供する。【解決手段】ゴルフ用グリーンマーカー２１を保持する保持板１１と、この保持板１１に一体に設けられる広告表示片１２と、この保持板１１を帽子２２のつば２３に取り付けるためのフック１３とから構成される。前記広告表示片１２は、保持板１１の一方の長辺から下向きに所定の角度をもって傾き、この保持板１１と一体に設けられる。この広告表示片１２の表面には、ゴルフ場名、トーナメントや大会名、スポンサー等のロゴが表示される。前記フック１３により帽子２２のつば２３に取りつけると、その広告表示片１２がギャラリーから見やすくなり、また、テレビ中継などによりゴルファーの姿が放映されることにより広告宣伝の効果が高まる。【選択図】図１
0003121181.tif 000002
【実用新案登録請求の範囲】
【請求項１】
帽子（２２）のつば（２３）に挟んで取り付けるフック（１３）を有し、ゴルフ用グリーンマーカー（２１）を磁力により吸着する保持板（１１）を備えたグリーンマーカーホルダーにおいて、前記保持板（１１）に広告表示片（１２）が設けられたことを特徴とするグリーンマーカーホルダー。
【請求項２】
上記広告表示片（１２）は、上記保持板（１１）に対して所定角度をもって傾けて設けられたことを特徴とする請求項１に記載のグリーンマーカーホルダー。
【考案の詳細な説明】
【技術分野】
【０００１】
この考案は、グリーン上でゴルフボールの位置を示すゴルフ用グリーンマーカーを帽子に保持しておくためのグリーンマーカーホルダーに関する。
【背景技術】
【０００２】
ゴルフのプレー中、グリーン上でボールをピックアップする際には、そのボール位置を示すためにグリーン上にゴルフ用グリーンマーカーが置かれる。このゴルフ用グリーンマーカーとして、磁石が設けられた金属製の円板状（コイン状）のものが使用され、このゴルフ用グリーンマーカーを磁力により保持し、帽子のつばなどに取り付けられるグリーンマーカーホルダーが知られている（例えば、実用新案登録第３１０６２６２号公報  図１参照）。
【０００３】
上記グリーンマーカーホルダー３０は、図４に示すように、その表面にゴルフ場名、トーナメントや大会名、スポンサー等のロゴが表示され、その裏面には帽子のつばに挟んで取り付けるフック３１を有するものである。ゴルファーは、このグリーンマーカーホルダー３０をフック３１により取り付けた帽子を被ると、表面に表示されたスポンサー等のロゴがギャラリーから見える。このため、グリーンマーカーホルダー３０を取り付けた帽子を被ることで、スポンサー等の広告宣伝をすることができる。
【考案の開示】
【考案が解決しようとする課題】
【０００４】
ゴルファーは、通常、ゴルフ用グリーンマーカー２１を使用しない時（グリーン上に置かない時）、これを上記グリーンマーカーホルダー３０に保持させているので、この保持されたゴルフ用グリーンマーカー２１が前記グリーンマーカーホルダー３０表面の一部を隠してしまう（図４参照）。このため、グリーンマーカーホルダー３０表面のスポンサー等のロゴが隠れてしまい、広告宣伝の効果が半減するという問題があった。
【０００５】
そこで、この考案は、ゴルフ用グリーンマーカーを保持した状態でも広告宣伝することができるマーカーホルダーを提供することを課題とする。
【課題を解決するための手段】
【０００６】
上記の課題を解決するために、この考案は、帽子のつばに挟んで取り付けるフックを有し、ゴルフ用グリーンマーカーを磁力により吸着する保持板を備えたグリーンマーカーホルダーにおいて、前記保持板に広告表示片が設けられた構成としたのである。
【０００７】
この構成によると、スポンサー等のロゴが表示された広告表示片がゴルフ用グリーンマーカーを保持する保持板とは別部材となるように設けられているので、前記広告表示片の表面に表示されたスポンサー等のロゴが、ゴルフ用グリーンマーカーの保持により隠れず、前記広告表示片によりスポンサー等の広告宣伝をすることができる。
【０００８】
また、上記広告表示片は、上記保持板に対して所定の角度をもって傾けて設けられたものであってもよい。前記広告表示片が上記保持板に対して傾けて設けられているので、グリーンマーカーホルダーを帽子のつばに取りつけると、その広告表示片がギャラリーから見やすくなり、また、テレビ中継などでゴルファーの姿が放映されることで広告宣伝の効果が高まる。
【考案の効果】
【０００９】
以上のように構成したので、この考案は、ゴルフ用グリーンマーカーを保持した状態でも広告宣伝することができる。
【考案を実施するための最良の形態】
【００１０】
以下、この考案の実施形態を添付図面に基づいて説明する。
グリーンマーカーホルダー１０は、図１に示すように、ゴルフ用グリーンマーカー２１を保持する保持板１１と、この保持板１１に一体に設けられる広告表示片１２と、この保持板１１を帽子２２のつば２３に取り付けるためのフック１３とから構成される。
【００１１】
上記保持板１１は、図２に示すように、矩形の金属板からなり、磁石２４を設けたゴルフ用グリーンマーカー２１をその磁石２４の磁力により吸着して保持することができる。なお、前記保持板１１に磁石を設けて、ゴルフ用グリーンマーカー２１を磁性体、例えばステンレス製としてもよい。あるいは、双方に磁石を設けてもよい。要は、磁石の磁力により前記保持板１１にゴルフ用グリーンマーカー２１を吸着して保持できればよい。なお、前記保持板１１は、矩形に形成されているが、矩形に限られるものではなく、後述する広告表示片１２を一体に設ける端部が直線状であればよく、三角形、五角形、半円形などに形成してもよい。
【００１２】
上記保持板１１の裏面には、図２（ｂ）に示すように、上記帽子２２のつば２３を挟むフック１３が設けられる。このフック１３は、矩形の金属板の一方の長辺中央部分から延び出した舌片を屈曲させて形成したものであり、このフック１３を帽子２１のつば２３に挟んで前記保持板１１を取り付けることができる。
【００１３】
上記保持板１１に設けられる広告表示片１２は、矩形の金属板からなり、前記保持板１１の上記フック１３の屈曲部側の端辺から下向きに所定の角度をもって傾き、この保持板１１と一体に設けられたものである。この広告表示片１２の表面には、ゴルフ場名、トーナメントや大会名、スポンサー等のロゴが表示される。前記広告表示片１２が上記保持板１１に対して下向きに傾いて設けられているので、グリーンマーカーホルダー１０を帽子２２のつば２３に取りつけると、図１に示すように、その広告表示片１２がギャラリーから見やすくなり、また、テレビ中継などによりゴルファーの姿が放映されることで広告宣伝の効果が高まる。
【００１４】
なお、上記広告表示片１２は、図３に示すように、前記保持板１１の上記フック１３の先端側の端辺から所定の角度をもって立ち上がるように設けられてもよい。
【図面の簡単な説明】
【００１５】
【図１】実施形態のグリーンマーカーホルダーを示す斜視図
【図２】（ａ）同上のグリーンマーカーホルダーを示す平面図、（ｂ）図２（ａ）のＡ−Ａ線におけるグリーンマーカーホルダーの断面図
【図３】他の実施形態のグリーンマーカーホルダーを示す斜視図
【図４】（ａ）従来のグリーンマーカーホルダーを示す平面図、（ｂ）図４（ａ）のＢ−Ｂ線におけるグリーンマーカーホルダーの断面図
【符号の説明】
【００１６】
１０  グリーンマーカーホルダー
１１  保持板
１２  広告表示片
１３  フック
２１  ゴルフ用グリーンマーカー
２２  帽子
２３  つば
２４  磁石
３０  グリーンマーカーホルダー
３１  フック
【図１】
0003121181.tif 000003
【図２】
0003121181.tif 000004
【図３】
0003121181.tif 000005
【図４】
0003121181.tif 000006
【手続補正書】
【提出日】平成18年2月15日(2006.2.15)
【手続補正１】
【補正対象書類名】明細書
【補正対象項目名】００１１
【補正方法】変更
【補正の内容】
【００１１】
上記保持板１１は、図２に示すように、矩形の金属板からなり、磁石２４を設けたゴルフ用グリーンマーカー２１をその磁石２４の磁力により吸着して保持することができる。なお、前記保持板１１に磁石を設けて、ゴルフ用グリーンマーカー２１を磁性体、例えば金属製としてもよい。あるいは、双方に磁石を設けてもよい。要は、磁石の磁力により前記保持板１１にゴルフ用グリーンマーカー２１を吸着して保持できればよい。なお、前記保持板１１は、矩形に形成されているが、矩形に限られるものではなく、後述する広告表示片１２を一体に設ける端部が直線状であればよく、三角形、五角形、半円形などに形成してもよい。